(57)【要約】【課題】  腰痛を軽減することはもとより、脊椎の変形を抑制することができる姿勢保持具の提供。【解決手段】  腰周りに定着し伸縮性を有する腰帯と、腹部を覆い伸縮性を有する腹帯を連結してなり、前記腰帯の両端部に、各端部を相互に連結させて環状とする着脱並びに周長の調節が可能な連結手段を備え、前記腰帯と腹帯の全幅に連なる左右の支持骨を、装着時において左右対称的な逆ハの字状となる様に配置して備える姿勢保持具。【選択図】      図１
2009189644.tif 000002
【特許請求の範囲】
【請求項１】
腰周りに定着し伸縮性を有する腰帯と、腹部を覆い伸縮性を有する腹帯を連結してなり、
前記腰帯の両端部に、各端部を相互に連結させて環状とする着脱並びに周長の調節が可能な連結手段を備え、
前記腰帯と腹帯とに連なる左右の支持骨を、略左右対称的に配置して備える姿勢保持具。
【請求項２】
前記左右の支持骨を、装着時において逆ハの字状となる様に配置して備える前記請求項１に記載の姿勢保持具。
【請求項３】
前記左右の支持骨の、一方の支持骨は使用者の前屈に倣う可撓性を有し、他方の支持骨は当該一方の支持骨よりも強い硬直性を有する前記請求項１又は請求項２のいずれかに記載の姿勢保持具。
【発明の詳細な説明】
【技術分野】
【０００１】
本発明は、腰痛の軽減に寄与する姿勢保持具に関する。
【背景技術】
【０００２】
腰痛の軽減等を目的とした姿勢保持具としては、腰部の筋肉を直接補助し、腰椎への直接加重を抑制するもの（例えば、下記特許文献１乃至特許文献４参照。）がほとんどである。
【０００３】
【特許文献１】特開２０００−０００２５８号公報
【特許文献２】実用新案登録第３１１７４４６号公報
【特許文献３】実用新案登録第３１１０６６３号公報
【特許文献４】実開平６−０７７７１２号公報
【発明の開示】
【発明が解決しようとする課題】
【０００４】
これらは、腰椎への負担を軽減する事によって痛みを緩和する事ができるものの、症状によっては、前屈みを抑制する効果の低さによって、背骨の変形、所謂腰が曲がる状況の悪化を抑制できないのが実情であった。
【０００５】
本発明は、上記実情に鑑みてなされたものであって、腰痛を軽減することはもとより、脊椎の変形を抑制することができる姿勢保持具の提供を目的とする。
【課題を解決するための手段】
【０００６】
上記課題を解決するためになされた本発明による姿勢保持具は、腰周りに定着し伸縮性を有する腰帯と、腹部を覆い伸縮性を有する腹帯を連結してなり、前記腰帯の両端部に、各端部を相互に連結させて環状とする着脱並びに周長の調節が可能な連結手段を備え、前記腰帯と腹帯とに連なる（例えば、前記腰帯と腹帯の全幅に連なる）左右の支持骨を、略左右対称的に配置して備えることを特徴とする。
【０００７】
前記腹帯は、例えば、前記腰帯の端部に連結し、前面が上方（ここでは、みぞおちから鎖骨に至る程度の領域）へ迂回する形態とすることができる。前記腹帯と腰帯とは、一体的に成形されているものでも良いし、相互に逢着されていても良い。また、前方において、腰帯と腹帯とが分離していても良いし、隙間無く連結していても良い。
【０００８】
左右対称的とは、当該構成によって求められる効果の観点から、臍を通る縦の線を対称軸として、支持骨の形態、本数、姿勢等が左右対称、又は外観上それに近い状態であるという意味である。
【０００９】
また、前記左右の支持骨を、装着時において逆ハの字状となる様に配置して備える姿勢保持具としても良い。前記装着時において逆ハの字状とは、左右支持骨の上端部を各々が配置された側の脇部に向ける配置の形態であって、腰帯及び腹帯の伸縮性、並びに使用者の体型に応じて、当該使用者が装着した際に逆ハの字の配置となる様に固定されていれば良く、装着されていない時点の配置は問わない。即ち、装着されていない時点では、ハの字、平行、或いは逆ハの字の何れでも良い。
【００１０】
更に、前記左右の支持骨を、一方の支持骨は使用者の前屈に倣う可撓性を有し、他方の支持骨は当該一方の支持骨よりも強い硬直性を有するものの組合せとすることもできる。ここで、使用者の前屈に倣う可撓性とは、使用者が前屈する力に抗しきれずに撓む程度の硬直性と復元力を有することを意味し、当該一方の支持骨よりも強い硬直性を有するとは、使用者が明確に体感し得る程度に、硬直性、即ち、使用者の前屈に対する抗力の点で当該一方の支持骨より強い性状を有することを言う。
【発明の効果】
【００１１】
本発明による姿勢保持具は、腰帯で要部の筋肉を補助し腰痛を緩和することはもとより、腹帯の伸縮性による付勢を後方へ働かせることを以って腹部の前屈を妨げ、且つ主に硬直性の強い支持骨による前屈への抵抗と相俟って、使用者の前屈みを抑制し脊椎の変形を抑制する。通常、硬直性の強い支持骨は、使用者の利き腕側に設定する。そうすることによって、利き腕を使用する際の軽はずみな前屈みを抑止し、比較的不自由な利き手でない側の使用を促す事により、全身の使用バランスを整えることができる。
【発明を実施するための最良の形態】
【００１２】
以下、本発明による姿勢保持具の実施の形態を図面に基づき詳細に説明する。
図１乃至図３に示す例は、腰周りに定着する腰帯１と、前屈みを抑制すべく前面が胸部へ向けて上方へ迂回する腹帯２を連結してなる。
【００１３】
前記腰帯１と腹帯２は、各々伸縮性を有する帯からなり、腰帯１は、その両端部に、各端部を相互に連結させて環状とする連結手段３を備える。当該連結手段３は、着脱可能であることは言うまでもなく、環状となった際の周長の調節が可能な構造とすることが望ましい。具体的には、面ファスナーや帯を挟持或いは係止するバックル等が挙げられる。
【００１４】
一方、当該例における腹帯２は、腰周りに定着する腰帯１と、前面が上方へ迂回する腹帯２を、各々の両端部で連結し、両帯１，２の端部の合流部から腰帯１の連結部５を延設し、前記連結手段３を設ける構成を採っている（図２参照。）。その他、前記腹帯２の両端部が縫着されて環状を形成し、前記腰帯１の一部に縫着された構成とすることもできる。
【００１５】
いずれの構成にあっても、前記腹帯２は、胸部から腹部を覆う前面が腰帯１の軌道から外れて上方に迂回する構造となる。当該例においては、前面において腰帯１と腹帯２との間に隙間４が生じている。この隙間４の有無は、使用する季節やデザイン等に応じて適宜選択することができる。
【００１６】
当該例は、前記腰帯１と腹帯２の全幅に連なる支持骨６を左右一対備え、前記一対の支持骨６は、各支持骨６の上端部が使用者の脇部へ向かう様に、逆ハの字状に対称配置されている。これらの支持骨６は、前記腰帯１と腹帯２に直接縫い付けられ、或いは前記腰帯１と腹帯２に縫い付けられた袋に装填される形で前記腰帯１及び腹帯２と一体化していれば良い。
【００１７】
この様に配置することによって、支持骨６が使用者の身体に対して正対することが無く、前方に転倒等した際の事故を防止することができる。また、身体を前方へ屈した場合には、一対の支持骨６の上部が、前屈の圧力により押し開かれつつ使用者の胸部を支え、且つその間に介在する腹帯２が、その伸縮性を以って使用者の胸部を柔らかく支持するため圧迫感が無い。前記支持骨６及び腹帯２は、前屈後の起き上がり時においてもそれを補助する役割を果たす。
【００１８】
当該例において、前記一対の支持骨６，６は、その一方は可撓性を有する金属を素材とし、他方は、当該金属に比べて硬直性の強い合成樹脂を素材としている。この様に、左右一方に優れた可撓性を与えると共に、他方の支持骨に当該可撓性を有する支持骨に比べて強い硬直性を与えた一対の支持骨６，６を前記の如く配置・固定することにより、上体の使い方を規制しつつ身体のバランスを矯正する効果を得ることができる。場合に応じて、前記対を為す支持骨６，６のそれぞれを、重合或いは並設した複数の骨部材で構成してもよく、左右の骨部材の本数に差を設けることによって硬直性の差を得ることもできる。
【００１９】
例えば、前記硬直性の強い支持骨６を使用者の利き腕側に配置することによって、利き腕を先行させた前屈みを抑制でき、逆に、前屈みを行う際に積極的に先行させたい側の支持骨６として可撓性の高い（撓み易い）ものを選択することによって、当該側が活用される頻度を相対的に増加せしめる効果が期待できる。
【００２０】
仮に、上体の運動機能の低下によって、上記の如く負荷を加える手法を採ることに無理がある場合には、実用機能に勝る側の支持骨に可撓性を持たせることにより、前記前屈時の支持機能と起き上がり時の補助機能を当該側に対して積極的に働かせることができる。
【産業上の利用可能性】
【００２１】
医療分野における、治療や矯正に用いることができ、或いはサポーターとしての日常的な利用にも良い。
【図面の簡単な説明】
【００２２】
【図１】本発明による腰椎保護帯の一例を示す正面図である。
【図２（Ａ）（Ｂ）】本発明による腰椎保護帯の一例を示す背面図である。
【図３（Ａ）（Ｂ）】本発明による腰椎保護帯の一例を示す側面図である。
【符号の説明】
【００２３】
１  腰帯，２  腹帯，３  連結手段，４  隙間，５  連結部，６  支持骨，
【図１】
2009189644.tif 000003
【図２（Ａ）（Ｂ）】
2009189644.tif 000004
【図３（Ａ）（Ｂ）】
2009189644.tif 000005